(57)【要約】【課題】ターボジェットエンジンの羽根のサポートのための側方向たわみ型羽根間プラットフォームを提供すること。【解決手段】ターボジェットエンジンのファンの羽根のサポートディスク１のための羽根間プラットフォーム３は、隣接する２枚の羽根間でサポートディスク１に連結された中央部分５と、中央部分５の２つの側縁６、７を延長し、各々が、向き合った羽根２の衝撃によってたわむように構成される２つの側方部分６、７とを有する。【選択図】      図２
2005054784.tif 000002
【特許請求の範囲】
【請求項１】
ターボジェットエンジンのファンの羽根（２）のサポートディスク（１）のための羽根間プラットフォーム（３）であって、隣接する２枚の羽根（２）の間で前記サポートディスク（１）に連結することができる中央部分（５）と、前記中央部分（５）の２つの側縁（６、７）を延長し、各々が、向かい合って配置された羽根（２）の衝撃によってたわむことができる２つの側方部分（８、９）とを有することを特徴とするプラットフォーム。
【請求項２】
前記中央部分（５）が第１の厚みを有し、さらに前記側方部分（８、９）が前記第１の厚みより小さい第２の厚みを有することを特徴とする、請求項１に記載のプラットフォーム。
【請求項３】
前記中央部分（５）が第１の変形抵抗を有し、前記側方部分（８、９）が前記第１の変形抵抗より小さな第２の変形抵抗を有することを特徴とする、請求項１または２に記載のプラットフォーム。
【請求項４】
前記側方部分（８、９）が、前記中央部分（５）の側縁（６、７）を薄くすることによって製作されることを特徴とする、請求項２または３に記載のプラットフォーム。
【請求項５】
前記側方部分（８、９）および前記中央部分（５）が単体であることを特徴とする、請求項１から４のいずれか一項に記載のプラットフォーム。
【請求項６】
前記側方部分（８、９）が、固定手段によって前記中央部分（５）に連結されることを特徴とする、請求項１から３のいずれか一項に記載のプラットフォーム。
【請求項７】
少なくとも前記側方部分（８、９）が形状記憶材料で製作されることを特徴とする、請求項１から６のいずれか一項に記載のプラットフォーム。
【請求項８】
金属材料で製作されることを特徴とする、請求項１から７のいずれか一項に記載のプラットフォーム。
【請求項９】
複合材料で製作されることを特徴とする、請求項１から７のいずれか一項に記載のプラットフォーム。
【請求項１０】
それぞれ隣接する羽根（２）対の間に差し挟まれた請求項１から９のいずれか一項に記載の複数の羽根間プラットフォーム（３）を有することを特徴とする、羽根のサポートディスク（１）。
【発明の詳細な説明】
【技術分野】
【０００１】
本発明は、ターボジェットエンジンの分野、とりわけ、ターボジェットエンジンのファンの羽根（ａｕｂｅ）のサポートディスク（ｄｉｓｑｕｅ  ｄｅ  ｓｕｐｐｏｒｔ）のための羽根間（ｉｎｔｅｒ−ａｕｂｅｓ）プラットフォームの分野に関するものである。
【背景技術】
【０００２】
当業者に知られているように、羽根が曲線でできた基部（ｐｉｅｄ）を有するターボジェットエンジンのファンは、羽根と羽根の間の空気の流れを最適化し、より厳密には、羽根のレベルで内部「気流」の空気力学的プロファイルを再構成するために、後付けされた羽根間プラットフォームを備えた羽根のサポートディスクを有している。
【０００３】
これらのプラットフォームは、その機能によって、いったん取り付けられたら、羽根の最も近くに位置する側縁を有する。ところで、たとえば、ターボジェットエンジンに異物が侵入したことによって羽根にトラブルが発生すると、前記羽根は、偏移し（あるいはたわみ）、隣接するプラットフォームのいずれか１つの側縁とぶつかる。そのことは、羽根のレベルで（たとえば、羽根の破断を引き起こす恐れがある「割れ」や亀裂の形成など）、および／またはプラットフォームのレベルで（たとえば、部分的または全体的な剥がれなど）重大な損傷を引き起こす恐れがある。
【０００４】
このような損傷は、一般に、ターボジェットエンジンの効率損失を引き起こし、それが性能の低下、さらには運転停止となって現れる。
【発明の開示】
【発明が解決しようとする課題】
【０００５】
したがって、本発明は、このような衝突の結果的影響を制限する、さらには排除することを目的とする。
【課題を解決するための手段】
【０００６】
そのために、本発明は、ターボジェットエンジンのファンの羽根のサポートディスクのための羽根間プラットフォームであって、隣接する２枚の羽根の間でサポートディスクに連結するための中央部分と、中央部分の２つの側縁を延長する２つの側方部分とを有し、それらの側方部分の各々は、向かい合って置かれた羽根の衝撃によってたわむように構成されているプラットフォームを提供する。
【０００７】
したがって、羽根が偏移すると、その羽根がぶつかるプラットフォームの側方部分が、たわむか、または押しつぶされ、その結果、増大したたわみ自由度（ｌｉｂｅｒｔｅ  ｄｅ  ｆｌｅｘｉｏｎ）を羽根に与えることによって損傷を著しく制限することができる。
【０００８】
本発明によるプラットフォームは、種々の方法で製作することができる。
【０００９】
たとえば、中央部分が第１の厚みを有することができるのに対して、側方部分は、この第１の厚みより小さな第２の厚みを有する。変形形態または補足形態として、中央部分は、第１の変形抵抗（ｒｅｓｉｓｔａｎｃｅ  ａ  ｌｅ  ｄｅｆｏｒｍａｔｉｏｎ）を示すことができるのに対して、側方部分は、この第１の変形抵抗より小さな第２の変形抵抗を有する。いずれの場合も、側方部分は、中央部分の側縁を薄くすることによって製作することができる。
【００１０】
上述のこれらのいずれの場合でも、側方部分と中央部分は単体（ｍｏｎｏｂｌｏｃ）でつくることができるが、変形形態として、側方部分は、固定手段、たとえば接着または溶接によって、中央部分に連結させることができる。
【００１１】
さらに、側方部分は、羽根が当初の位置に戻ると、最初の形状に戻ることができるように、形状記憶材料で製作されることができる。
【００１２】
このようなプラットフォームは、少なくともその側方部分のレベルにおいて、金属材料で製作することができる。
【００１３】
本発明はまた、隣接する羽根対の間にそれぞれ差し挟まれた、前述のタイプの複数の羽根間プラットフォームを有する羽根のサポートディスクに関するものである。
【００１４】
添付の図面を参照して、以下に実施の形態を詳述することで、本発明の特徴および利点が明らかになるだろう。
【００１５】
添付図は、本発明を補足するだけでなく、場合によってはその規定にも役立つものである。
【発明を実施するための最良の形態】
【００１６】
本発明は、曲線でできた基部をもつ羽根（「広翼弦型」羽根とも呼ばれる）を備えた、ターボジェットエンジンのファンのための羽根のサポートディスクに装備するための羽根間プラットフォームに関するものである。
【００１７】
図１に部分的に示されているように、羽根のサポートディスク１は、ロータシャフトに取り付けられたファン（図示せず）の一要素であり、この要素に、曲線でできた基部をもつ複数の羽根２と、後付けされた複数の羽根間プラットフォーム３が固定される。より厳密には、各プラットフォーム３は、羽根のレベルで内部「気流」の空気力学的プロファイルを再構成するように、サポートディスク１で隣接する２枚の羽根２間に取り付けられる。
【００１８】
後付けされた各プラットフォーム３は、一般に、固定柱脚（ｐｉｏｎ）によってサポートディスク１の固定脚（ｐａｔｔｅ）に連結された、もしくは、前記ディスクに取り付けられた収納部と協働する２本または３本の固定脚を有する。
【００１９】
図２に示された実施の例において、プラットフォーム３は、固定脚４（横断面図によってそのうちの１本だけが図示されている）によって、サポートディスク１に連結される。
【００２０】
本発明によれば、プラットフォーム３は、いったん取り付けられると、（たとえば、固定脚４を介して）サポートディスク１に連結される中央部分５を有する。この中央部分５は、各々が羽根２に向かい合うように置かれ、側方部分８または９によって各々が延長された２つの側縁６および７を有する。
【００２１】
各側方部分８、９は、プラットフォームと隣接する羽根との間の密封性を確立するための要素（またはジョイント）を受けるためのものである。この要素（図示せず）は、好ましくは、ゴムまたはそのなんらかの派生物によって製作される。
【００２２】
本発明によれば、各側方部分８、９は、たとえば羽根２への侵入によって、側方部分の方向に偏移することを強いられると、向き合って置かれている羽根２の衝撃によって、ほぼ矢印に沿って、たわむまたは押しつぶされるように構成される。
【００２３】
隣接する羽根２によって圧力が加えられた場合に、このたわみ（弾性または非弾性）を得ることができるように、プラットフォームは種々の方法で製作することにある。
【００２４】
図２に示されている第１の実施形態は、プラットフォーム３の側縁６および７を局部的または全体的に薄くすることによって、側方部分８および９を形成することにある。
【００２５】
薄くする度合いは、好ましくは、たわみまたは押しつぶしを容易にすることができるほどの大きさである。言い換えれば、側方部分８および９の厚みは、中央部分５よりはるかに小さい。
【００２６】
したがって、この第１の実施形態において、中央部分５と側方部分８および９は、単体要素である。
【００２７】
第２の実施形態は、異なる変形抵抗を有する材料で中央部分５と側方部分８および９を形成することからなる。より厳密には、中央部分５の変形抵抗は、側方部分８および９の抵抗よりはるかに大きい。
【００２８】
こうした抵抗の違いを得るために、２つの方法を考えることができる。
【００２９】
第１の方法は、たとえば、適切な粒子の束の下にさらすことによって、中央部分５または側方部分８および９の特定の物理特性を変えることである。実際に、中央部分の抵抗を増大させる、もしくは側方部分８および９の抵抗を低減させることができる。その場合、第１の実施形態におけるように、中央部分５と側方部分８および９は、単体要素を構成する。薄くし、特定の物理特性を変えることによって、第１の実施形態とこの実施形態を組み合わせることができる点に留意することが重要である。
【００３０】
第２の方法は、たとえば溶接や接着によって、側方部分８、９を中央部分５に連結することによって、プラットフォーム３を形成することである。こうして、中央部分５と側方部分８および９は、好ましくは、異なる材料で、かつ／または異なる物理特性（特に変形抵抗について）を有して製作される。ここでは、中央部分５より薄い側方部分８および９の使用を考えることができる。
【００３１】
羽根が最初の位置に戻ると、プラットフォーム３の側方部分８および９も最初の形状に戻ることができるように、それらの部分は、形状記憶型金属で製作することができる。
【００３２】
本発明によるプラットフォーム３は、好ましくは、たとえばアルミニウムなどの金属ブロックを機械加工することによって製作される。しかし、また複合材料など他の材料で製作することもできるだろう。
【００３３】
本発明は、あくまで例示的なものとして上述した羽根のサポートディスクと羽根間プラットフォームの実施形態に限定されるものではなく、特許請求の範囲の枠組みの中で当業者が考えうるあらゆる変形形態を含むものとする。
【図面の簡単な説明】
【００３４】
【図１】羽根のサポートディスクの一部を概略的に示す正面図である。
【図２】本発明による羽根間プラットフォームの実施形態を概略的に示す側面図である。
【符号の説明】
【００３５】
１  サポートディスク
２  羽根
３  羽根間プラットフォーム
４  固定脚
５  中央部分
６、７  側縁
８、９  側方部分
【図１】
2005054784.tif 000003
【図２】
2005054784.tif 000004